【事件の表示】
　特願２０１３−　３０８５５号「遊技機」拒絶査定不服審判事件〔平成２６年　９月　４日出願公開、特開２０１４−１５８６０１号〕について、次のとおり審決する。
【結　論】
　本件審判の請求は、成り立たない。
【理　由】
第１　手続の経緯
　本願は、平成２５年２月２０日の出願であって、平成２６年６月２６日付け拒絶理由通知に対して、同年８月２８日付けで手続補正がなされ、平成２７年２月１８日付け拒絶理由通知に対して、同年４月２０日付けで手続補正がされたところ、同年８月１０日付けで補正却下の決定がなされるとともに拒絶査定がなされ、これに対して、同年１１月１８日に拒絶査定不服審判の請求がされるとともに、同日付けの手続補正（以下、「本件補正」という。）がなされたものである。
第２　本件補正についての補正却下の決定
［補正却下の決定の結論］
　本件補正を却下する。
［理由］
１　補正の内容
　平成２７年４月２０日付けの手続補正は、既に補正却下の決定がなされている。そして、本件補正は、特許請求の範囲及び発明の詳細な説明を補正するものであって、このうち、特許請求の範囲の請求項１については、補正前に
（平成２６年８月２８日付け手続補正）
「【請求項１】
　始動条件の成立に伴い判定情報を取得する判定情報取得手段と、
　前記判定情報に基づいて、特別遊技に当選したか否かの判定を行う特別遊技判定手段と、
　前記特別遊技判定手段の判定結果に基づいて変動表示される図柄に対応した演出を表示可能な画像表示手段と、
　前記特別遊技判定手段による判定の権利を、所定数を上限として保留して記憶する保留記憶手段と、
　前記保留記憶手段に記憶された保留数を保留画像により表示可能な保留表示手段と、
　前記判定情報に基づいて、事前に前記特別遊技の当選の有無を判定する事前判定手段と、
　前記事前判定手段の判定結果に基づいて、前記保留表示手段に表示させる保留画像を通常保留表示態様とするか、或いは特定保留表示態様とするかを選択決定する保留表示態様選択決定手段と、
　前記特定保留表示態様となることで遊技者にとって有利な状態となることを予め説明する説明演出と、該説明演出を行った後に前記特定保留表示態様により保留画像を表示可能な遊技演出と、を実行する遊技演出実行手段と、
　を備えたこと特徴とする遊技機。」
とあったものを、
（本件補正である平成２７年１１月１８日付け手続補正）
「【請求項１】
　始動条件の成立に伴い判定情報を取得する判定情報取得手段と、
　前記判定情報に基づいて、特別遊技に当選したか否かの判定を行う特別遊技判定手段と、
　前記特別遊技判定手段の判定結果に基づいて変動表示される図柄に対応した演出を表示可能な画像表示手段と、
　前記
判定情報取得手段により取得された前記判定情報を、
　前記保留記憶手段に記憶された保留数を保留画像により表示可能な保留表示手段と、
　前記判定情報に基づいて、事前に前記特別遊技の当選の有無を判定する事前判定手段と、
　
前記図柄が変動していることを示す変動保留画像を表示可能な変動保留表示手段と、
　前記事前判定手段の判定結果に基づいて、前記保留表示手段に表示させる保留画像を通常保留表示態様とするか、或いは特定保留表示態様とするかを選択決定する保留表示態様選択決定手段と、
　前記特定保留表示態様となることで遊技者にとって有利な状態となることを予め説明する説明演出と、該説明演出を行った後に前記特定保留表示態様により保留画像を表示可能な遊技演出と、を実行する遊技演出実行手段と、
を備え、
　
前記遊技演出実行手段は、
　前記遊技演出として、前記特定保留表示態様により保留画像を表示すると、前記保留画像に係る前記図柄の変動が開始されることに伴って前記特定保留表示態様を維持したまま前記変動保留画像として表示し、前記画像表示手段に所定演出が表示されたときに前記変動保留画像を消去する
と補正するものである（下線部は補正箇所を示す。）。
２　補正の適否
　本件補正のうち特許請求の範囲についてする補正は、補正前の請求項１に係る発明を特定するために必要な事項である「前記特別遊技判定手段による判定の権利」を、「前記判定情報取得手段により取得された前記判定情報」と補正することを含むものである。ここで、特別遊技判定手段は、判定情報に基づいて判定を行うものであり、判定情報は判定情報取得手段によって取得されるものであって、「判定情報取得手段により取得された前記判定情報」がなければ判定を行うことができないから、「前記判定情報取得手段により取得された前記判定情報」は、「前記特別遊技判定手段による判定の権利」の具体的な態様に該当するものということができる。そうすると、当該補正部分は、補正前の請求項１に係る発明を特定するために必要な事項をより下位概念に限定するものである。
　また、本件補正のうち特許請求の範囲についてする補正は、（ａ）「前記図柄が変動していることを示す変動保留画像を表示可能な変動保留表示手段」との事項を追加するとともに、（ｂ）「前記遊技演出実行手段は、前記遊技演出として、前記特定保留表示態様により保留画像を表示すると、前記保留画像に係る前記図柄の変動が開始されることに伴って前記特定保留表示態様を維持したまま前記変動保留画像として表示し、前記画像表示手段に所定演出が表示されたときに前記変動保留画像を消去する」との事項を追加することを含むものである。このうち、追加事項（ｂ）は、補正前の請求項１に係る発明を特定するために必要な事項である「遊技演出実行手段」に限定を付加するものであり、追加事項（ａ）は、追加事項（ｂ）おいて言及している「変動保留画像」について、「前記図柄が変動していることを示す」ものであり、「変動保留表示手段」により「表示可能な」ものであるとの説明を加えるものであるといえる。そうすると、追加事項（ａ）及び（ｂ）は、補正前の請求項１に係る発明を特定するために必要な事項を限定するものである。
　したがって、補正後の請求項１に係る発明は、補正前の請求項１に係る発明と、産業上の利用分野及び解決しようとする課題が同一であるので、本件補正のうち特許請求に範囲についてする補正は、特許法第１７条の２第５項第２号に規定する「特許請求の範囲の減縮」を目的とする補正に該当する。
　そして、本件補正は新規事項を追加するものではない。
３　独立特許要件について
　そこで、本件補正後の請求項１に係る発明（以下、「本願補正発明」という。）が特許出願の際に独立して特許を受けることができるものであるか、すなわち、特許法第１７条の２第６項において準用する同法第１２６条第７項の規定に適合するかについて、以下に検討する。
（１）引用文献及びその記載事項
（１−１）引用文献１
　原査定の拒絶の理由に引用された、本願の出願前に頒布された刊行物である特開２０１３−２２１２９号公報（以下、「引用文献１」という。）には、図面とともに以下の事項が記載されている（下線は当審で付した。）。
（１−ア）
「【０００１】
　本発明は、回胴遊技機（スロットマシン）や弾球遊技機（パチンコ機）に代表される
遊技台
（１−イ）
「【００６７】
　次に、図７を用いて、
主制御部３００
・・・・・
【００７６】
　
特図１始動口２３０へ入賞があった場合
特図１保留数記憶領域
保留数４で満タンとなる
当り判定用乱数値を取得するとともに、
当り時用特図決定用乱数値を取得し
特図１乱数値記憶領域内の当り判定用乱数値および当り時用特図決定用乱数値の組（以下、「特図１乱数値の組」または「特図１始動情報」と称する場合がある）は、特図１保留数記憶領域に記憶された特図１保留数と同数分だけ格納される
（１−ウ）
「【０２１５】
　これらの事前判定結果の情報を含むコマンドを受信した第１副制御部４００は、
装飾図柄表示装置２０８の
特図１保留表示領域２０８ｄ１に、
保留表示画像を表示
【０２１６】
　特図１保留表示領域２０８ｄ１は、
特図１乱数値記憶領域に記憶されている特図１乱数値の組の数を特図１保留数
として遊技者に報知可能になっている
（１−エ）
「【０２３０】
・・・当該特定の当否判定結果とならない所定の図柄変動表示（例えば、はずれに係る特図変動遊技）で実行される特定の演出（例えば、リーチ演出や通常共通予告演出）に関する説明演出（例えば、図１４の上欄に示す説明文と、図１５（ｃ）に示す説明演出用キャラクタ画像とを用いて実行される演出）を、当該所定の図柄変動表示の終了後に所定条件が成立したこと（例えば、特図変動遊技の変動時間が８０００ｍｓであること）に基づいて実行する
説明演出実行手段（例えば、第１副制御部４００
（１−オ）
「【０２７７】
　次に、本実施の形態の実施例４によるパチンコ機１００での特図変動遊技について図２０を用いて説明する。図２０は、本実施例によるパチンコ機１００での特図変動遊技を説明する図である。本実施例では、特図先読み予告に関する保留表示画像の表示態様の変化も説明演出で説明する特定の演出に含まれる例について説明する。図２０（ａ）乃至図２０（ｊ）はこの順に、本実施例によるパチンコ機１００での特図変動遊技を時系列で示している。
【０２７８】
　図２０（ａ）は、例えば特図１変動遊技が既に開始されており、
装飾図柄表示装置２０８の左中右図柄表示領域２０８ａ、２０８ｂ、２０８ｃ
【０２７９】
　例えば、
主制御部３００は、当該特図１変動遊技に係る特図１始動情報の当否
を判定し、
・・・・・
【０２８１】
　また、この特図１変動遊技中に特図１始動口２３０に２個の遊技球が入賞し、当該特図１変動遊技の実行中に以下の処理が実行される。例えば、
主制御部３００は、導出された２個の特図１始動情報について特図先読み処理を実行する
【０２８２】
　詳細な説明は省略するが、
これらの事前判定結果の情報を含むコマンドを受信した第１副制御部４００は、特図先読み処理が実行された特図１始動情報毎に保留表示画像の表示態様を変更するか否かの抽選処理を実行する
これにより、
装飾図柄表示装置２０８の
特図１保留表示領域２０８ｄ１には、「姫様の妹」の表示態様による保留表示画像ａ１と、円形白丸の表示態様による保留表示画像ａ２とが表示される
・・・・・
【０２８４】
　左中右図柄表示領域２０８ａ、２０８ｂ、２０８ｃにおいて
図柄変動表示が開始されてから所定時間
経過後に、
「装飾１−装飾４−装飾６」が左中右図柄表示領域２０８ａ、２０８ｂ、２０８ｃに停止表示されて、当該特図１変動遊技がはずれであることが報知される
・・・・・
【０２９４】
　左中右図柄表示領域２０８ａ、２０８ｂ、２０８ｃにおいて図柄変動表示が開始されてから所定時間経過後に、図２０（ｉ）に示すように、
演出表示領域２０８ｄには、
「保留変化は熱い！」の文字画像とが表示され、説明演出が実行される
（１−カ）
「【０３４８】
　また、
パチンコ機１００は、はずれとなる図柄変動表示に関連する説明および大当りとなる図柄変動表示に関連する説明演出のいずれも実行できるように構成されている場合
　上記記載事項の（１−ア）〜（１−カ）を総合すると、引用文献１には、次の発明（以下、「引用発明」という。）が記載されていると認められる。
「主制御部３００は、特図１始動口２３０へ入賞があった場合、当り判定用乱数値を取得するとともに、当り時用特図決定用乱数値を取得し（段落【００６７】、【００７６】）、
　主制御部３００は、特図１変動遊技に係る特図１始動情報の当否を判定し（段落【０２７９】）、
　図柄変動表示が開始されてから所定時間経過後に、『装飾１−装飾４−装飾６』が装飾図柄表示装置２０８の左中右図柄表示領域２０８ａ、２０８ｂ、２０８ｃに停止表示されて、当該特図１変動遊技がはずれであることが報知され（段落【０２７８】、【０２８４】）、
　特図１保留数記憶領域は保留数４で満タンとなるものであり、特図１乱数値記憶領域内の当り判定用乱数値および当り時用特図決定用乱数値の組は、特図１保留数記憶領域に記憶された特図１保留数と同数分だけ格納され（段落【００７６】）、
　装飾図柄表示装置２０８の特図１保留表示領域２０８ｄ１に保留表示画像を表示し、特図１乱数値記憶領域に記憶されている特図１乱数値の組の数を特図１保留数として遊技者に報知可能になっており（段落【０２１５】、【０２１６】）、
　主制御部３００は、導出された２個の特図１始動情報について特図先読み処理を実行し（段落【０２８１】）、
　これらの事前判定結果の情報を含むコマンドを受信した第１副制御部４００は、特図先読み処理が実行された特図１始動情報毎に保留表示画像の表示態様を変更するか否かの抽選処理を実行し、これにより、装飾図柄表示装置２０８の特図１保留表示領域２０８ｄ１には、『姫様の妹』の表示態様による保留表示画像ａ１と、円形白丸の表示態様による保留表示画像ａ２とが表示され（段落【０２８２】）、
　第１副制御部４００により、演出表示領域２０８ｄには、『保留変化は熱い！』の文字画像が表示され、説明演出が実行される遊技台（段落【０００１】、【０２３０】、【０２９４】）。」
（１−２）引用文献２
　また、本願の出願前に頒布された刊行物である特開２００４−３２１７１２号公報（以下、「引用文献２」という。）には、図面とともに以下の事項が記載されている（下線は当審で付した。）。
（２−ア）
「【０００１】
【発明の属する技術分野】
本発明は、各々が識別可能な複数種類の識別情報を可変表示可能な可変表示手段を備え、あらかじめ定められている可変表示の実行条件が成立した後、可変表示の開始条件の成立にもとづいて識別情報の可変表示を開始し、可変表示の表示結果が特定の表示結果となったときに遊技者にとって有利な遊技状態である特定遊技状態に制御可能なパチンコ遊技機やスロットマシン等の
遊技機
(２−イ)
「【００２３】
また、可変表示装置９には、始動入賞口１４に遊技球が入賞したこと、すなわち、可変表示の実行条件が成立したことを示す
始動入賞記憶を表示する
（始動記憶表示エリア）１８
特別図柄の可変表示が開始されて現在可変表示中の始動入賞記憶
を表示する変動中始動記憶表示エリア１９
【００２４】
有効始動入賞（始動入賞記憶数が４未満のときの始動入賞）がある毎に、始動記憶表示エリア１８に表示される始動入賞記憶数を１増やす。そして、特別図柄の可変表示が開始される毎に、始動記憶表示エリア１８に表示される始動入賞記憶数を１減らすとともに、変動中始動記憶表示エリア１９に始動入賞記憶を表示させる。そして、特別図柄の可変表示（可変表示の表示結果が大当りとなったときには大当り遊技状態）が終了すると、変動中始動記憶表示エリア１９に表示されていた始動入賞記憶を消去する。
【００２５】
始動記憶表示エリア１８および変動中始動記憶表示エリア１９に表示される始動入賞記憶の表示内容を始動入賞表示という。始動入賞表示には、円形の図柄による表示と、星や手榴弾などの特別な図柄による表示とがある（図２３参照）。以下、円形の図柄による表示を
通常始動入賞表示
特別始動入賞表示
（２−ウ）
「【０１５０】
図２３は、特別始動入賞表示の表示位置の移動を示す説明図である。図２３（ａ）に示すように、３つの始動入賞記憶が表示されている状態（すなわち始動入賞記憶数が３の状態）において、有効始動入賞があり、その始動入賞にもとづく変動パターンが特別演出パタ
ーンであると事前に判定されたときは、
特別演出パターンに対応する始動入賞表示である特別始動入賞表示
が４番目の位置に表示される。
【０１５１】
図２３（ｂ）に示すように、可変表示の開始条件が成立して始動入賞記憶数が１減らされると、可変表示の実行条件が成立しているものの中で最も古い始動入賞記憶すなわち１番目の位置の始動入賞記憶を示す始動入賞表示（図の例では通常始動入賞表示）は始動記憶表示エリア１８から消去されるとともに、変動中始動記憶表示エリア１９に表示される。また、２番目〜４番目の位置の始動入賞表示は、それぞれ、１番目〜３番目の位置に移動（シフト）して表示される。
・・・・・
【０１５４】
図２３（ｅ）に示すように、
次回の可変表示の開始条件が成立して始動入賞記憶数が１減らされると、１番目の位置の特別始動入賞表示は始動記憶表示エリア１８から消去されるとともに、変動中始動記憶表示エリア１９に表示される。
（２−エ）
「【０１５７】
図２５は、特別演出パターンの例を示す説明図である。
図２５に示すように、特別始動入賞表示
が変動中始動記憶表示エリア１９に表示されているときに
特別演出パターンが実行される
（２−オ）
「【０１７１】
図２８は、リーチ時における特別図柄（中図柄）の変動状態を示す説明図である。
・・・・・
【０１７４】
以上のようなリーチ演出によれば、大当りの発生への期待を遊技者に抱かせることができ、リーチ時の演出効果を一層向上させることができる。
このようなリーチ演出は、例えば、図２５〜図２７に示した特別演出パターンにおけるリーチ演出やスーパーリーチ演出に利用することができる。
（２）対比
　本願補正発明と引用発明とを対比する。
ア　引用発明の「特図１始動口２３０へ入賞」は、本願補正発明の「始動条件の成立」に相当し、引用発明の「当り判定用乱数値」及び「当り時用特図決定用乱数値」は、本願補正発明の「判定情報」に相当する。
　そうすると、引用発明の「特図１始動口２３０へ入賞があった場合、当り判定用乱数値を取得するとともに、当り時用特図決定用乱数値を取得」する「主制御部３００」は、本願補正発明の「始動条件の成立に伴い判定情報を取得する判定情報取得手段」としての機能を有している。
イ　引用発明において、「特図１変動遊技に係る特図１始動情報の当否」の「判定」が、当該「特図第１始動情報」に基づいて行われることは、技術常識から明らかである。
　また、上記記載事項の（１−イ）に、「特図１乱数値記憶領域内の当り判定用乱数値および当り時用特図決定用乱数値の組（以下、「特図１乱数値の組」または「特図１始動情報」と称する場合がある）」と記載されていることから、引用発明の「特図１始動情報」は、上記アにおける引用発明の「当り判定用乱数値」及び「当り時用特図決定用乱数値」と同じことを意味しており、本願補正発明の「判定情報」に相当するものである。
　さらに、引用発明の「特図１変動遊技に係る特図１始動情報の当否」の「判定」は、本願補正発明の「特別遊技に当選したか否かの判定」に相当する。
　そうすると、引用発明の「特図１変動遊技に係る特図１始動情報の当否を判定」する「主制御部３００」は、本願補正発明の「前記判定情報に基づいて、特別遊技に当選したか否かの判定を行う特別遊技判定手段」としての機能を有している。
ウ　引用発明において「当該特図１変動遊技がはずれであること」は、「主制御部３００」にて「特図１変動遊技に係る特図１始動情報の当否を判定し」た結果に基づくものであることは明らかである。そして、引用発明の「特図１変動遊技に係る特図１始動情報の当否」の「判定」は、本願補正発明の「前記特別遊技判定手段の判定」に相当するものである。
　また、引用発明の「図柄変動表示が開始されてから所定時間経過後に、『装飾１−装飾４−装飾６』が装飾図柄表示装置２０８の左中右図柄表示領域２０８ａ、２０８ｂ、２０８ｃに停止表示され」ることは、本願補正発明の「変動表示される図柄に対応した演出を表示」することに相当する。
　そうすると、引用発明の「図柄変動表示が開始されてから所定時間経過後に、『装飾１−装飾４−装飾６』が左中右図柄表示領域２０８ａ、２０８ｂ、２０８ｃに停止表示されて、当該特図１変動遊技がはずれであることが報知され」る「装飾図柄表示装置２０８」は、本願補正発明の「前記特別遊技判定手段の判定結果に基づいて変動表示される図柄に対応した演出を表示可能な画像表示手段」としての機能を有している。
エ　引用発明において、「特図１保留数記憶領域は保留数４で満タンとなるもの」であるから、特図１保留数記憶領域は保留数４が上限であり、「特図１乱数値記憶領域内の当り判定用乱数値および当り時用特図決定用乱数値の組は、特図１保留数記憶領域に記憶された特図１保留数と同数分だけ格納され」るものであるから、当該組も同様に保留数４が上限であるといえる。また、引用発明の「特図１乱数値記憶領域内の当り判定用乱数値および当り時用特図決定用乱数値の組」は、本願補正発明の「前記判定情報取得手段により取得された判定情報」に相当する。
　そうすると、引用発明は、「特図１保留数記憶領域は保留数４で満タンとなるものであり、特図１乱数値記憶領域内の当り判定用乱数値および当り時用特図決定用乱数値の組は、特図１保留数記憶領域に記憶された特図１保留数と同数分だけ格納され」るものであるから、引用発明の「特図１乱数値記憶領域」は、本願補正発明の「前記判定情報取得手段により取得された前記判定情報を、所定数を上限として保留して記憶する保留記憶手段」としての機能を有している。
オ　引用発明の「保留表示画像」は、本願補正発明の「保留画像」に相当する。また、上記記載事項の（１−イ）に、「特図１乱数値記憶領域内の当り判定用乱数値および当り時用特図決定用乱数値の組（以下、「特図１乱数値の組」または「特図１始動情報」と称する場合がある）」と記載されていることから、引用発明の「特図１乱数値の組」は、「特図１乱数値記憶領域内の当り判定用乱数値および当り時用特図決定用乱数値の組」であり、よって、引用発明の「特図１乱数値記憶領域に記憶されている特図１乱数値の組の数」は、本願補正発明の「前記保留記憶手段に記憶された保留数」に相当する。
　そうすると、引用発明は、「装飾図柄表示装置２０８の特図１保留表示領域２０８ｄ１に保留表示画像を表示し、特図１乱数値記憶領域に記憶されている特図１乱数値の組の数を特図１保留数として遊技者に報知可能になって」いるものだから、引用発明の「装飾図柄表示装置２０８」は、本願補正発明の「前記保留記憶手段に記憶された保留数を保留画像により表示可能な保留表示手段」としての機能を有している。
カ　上記イで述べたとおり、引用発明の「特図１始動情報」は、本願補正発明の「判定情報」に相当する。また、引用発明の「特図先読み処理」は、本願補正発明の「事前に前記特別遊技の当選の有無を判定する」ことに相当する。
　そうすると、引用発明の「導出された２個の特図１始動情報について特図先読み処理を実行」する「主制御部３００」は、本願補正発明の「前記判定情報に基づいて、事前に前記特別遊技の当選の有無を判定する事前判定手段」としての機能を有している。
キ　引用発明の「これらの事前判定結果」、「保留表示画像」、「『姫様の妹』の表示態様」、「円形白丸の表示態様」は、本願補正発明の「前記事前判定手段の判定結果」、「前記保留表示手段に表示させる保留画像」、「特定保留表示態様」、「通常保留表示態様」にそれぞれ相当する。
　そうすると、引用発明は、「これらの事前判定結果の情報を含むコマンドを受信した第１副制御部４００は、特図先読み処理が実行された特図１始動情報毎に保留表示画像の表示態様を変更するか否かの抽選処理を実行し、これにより、装飾図柄表示装置２０８の特図１保留表示領域２０８ｄ１には、『姫様の妹』の表示態様による保留表示画像ａ１と、円形白丸の表示態様による保留表示画像ａ２とが表示され」るものであるから、引用発明の「第１副制御部４００」は、本願補正発明の「前記事前判定手段の判定結果に基づいて、前記保留表示手段に表示させる保留画像を通常保留表示態様とするか、或いは特定保留表示態様とするかを選択決定する保留表示態様選択決定手段」としての機能を有している。
ク　引用発明の「保留変化」は、本願補正発明の「前記特定保留表示態様となること」に相当し、「保留変化」が「遊技者にとって有利な状態となる」のは技術常識より明らかであるから、引用発明の「第１副制御部４００により、演出表示領域２０８ｄには、『保留変化は熱い！』の文字画像が表示され、説明演出が実行される」ことと、本願補正発明の「前記特定保留表示態様となることで遊技者にとって有利な状態となることを予め説明する説明演出」とは、「前記特定保留表示態様となることで遊技者にとって有利な状態となることを説明する説明演出」である点で共通する。
　また、引用発明の「『姫様の妹』の表示態様」、「保留表示画像」は、本願補正発明の「特定保留表示態様」、「保留画像」にそれぞれ相当するから、引用発明の「装飾図柄表示装置２０８の特図１保留表示領域２０８ｄ１には、『姫様の妹』の表示態様による保留表示画像ａ１」「が表示され」ることと、本願補正発明の「該説明演出を行った後に前記特定保留表示態様により保留画像を表示可能な遊技演出」とは、「前記特定保留表示態様により保留画像を表示可能な遊技演出」である点で共通する。
　そして、引用発明において、「・・・説明演出が実行される」ことと、「・・・保留表示画像ａ１」「が表示され」こととは、ともに「第１副制御部４００」により実施されるから、引用発明の「第１副制御部４００」は、本願補正発明の「遊技演出実行手段」に相当する。
　そうすると、両発明は、「前記特定保留表示態様となることで遊技者にとって有利な状態となることを説明する説明演出と、前記特定保留表示態様により保留画像を表示可能な遊技演出と、を実行する遊技演出実行手段」を有する点で共通する。
ケ　引用発明の「遊技台」は、本願補正発明の「遊技機」に相当する。
　上記ア〜ケにより、両発明は、
（一致点）
「始動条件の成立に伴い判定情報を取得する判定情報取得手段と、
　前記判定情報に基づいて、特別遊技に当選したか否かの判定を行う特別遊技判定手段と、
　前記特別遊技判定手段の判定結果に基づいて変動表示される図柄に対応した演出を表示可能な画像表示手段と、
　前記判定情報取得手段により取得された前記判定情報を、所定数を上限として保留して記憶する保留記憶手段と、
　前記保留記憶手段に記憶された保留数を保留画像により表示可能な保留表示手段と、
　前記判定情報に基づいて、事前に前記特別遊技の当選の有無を判定する事前判定手段と、
　前記事前判定手段の判定結果に基づいて、前記保留表示手段に表示させる保留画像を通常保留表示態様とするか、或いは特定保留表示態様とするかを選択決定する保留表示態様選択決定手段と、
　前記特定保留表示態様となることで遊技者にとって有利な状態となることを説明する説明演出と、前記特定保留表示態様により保留画像を表示可能な遊技演出と、を実行する遊技演出実行手段と、を備える遊技機。」
である点で一致し、以下の点で相違している。
(相違点１)
　「前記特定保留表示態様となることで遊技者にとって有利な状態となることを」「説明する説明演出」について、本願補正発明では、「予め」なされるものであるのに対して、引用発明では、そのような構成ではない点。
(相違点２)
　「遊技演出」により「前記特定保留表示態様により保留画像を表示可能」であるのが、本願補正発明では、「該説明演出を行った後」であるのに対して、引用発明では、そのような構成ではない点。
(相違点３)
　本願補正発明では、「前記図柄が変動していることを示す変動保留画像を表示可能な変動保留表示手段」を備えるのに対して、引用発明では、そのような構成を有するか明らかでない点。
（相違点４）
　「遊技演出実行手段」について、本願補正発明では、「前記遊技演出として、前記特定保留表示態様により保留画像を表示すると、前記保留画像に係る前記図柄の変動が開始されることに伴って前記特定保留表示態様を維持したまま前記変動保留画像として表示し、前記画像表示手段に所定演出が表示されたときに前記変動保留画像を消去する」ものであるのに対して、引用発明では、そのような構成であるか明らかでない点。
（３）判断
　相違点１及び２は関連するので、まとめて検討する。
　遊技機の技術分野において、説明演出の説明対象となる演出の信頼度等を当該演出の実行時に遊技者が認識できるように、説明演出を当該説明演出の説明対象となる演出の前に予め実施することは、例えば原査定の拒絶の理由に引用された特開２０１２−３４８６０号公報（半蔵リーチの信頼度に対する解説をする解説予告３９０２を表示し、３変動後の変動において半蔵リーチが発生する点。段落【０４０７】、図３９−１等を参照。）や同じく原査定の拒絶の理由に引用された特開２０１２−１９９１０号公報（リーチ予告演出の説明演出が実行された後、リーチ予告演出としてのＵＦＯが出現する演出が実行され、大当たり予告演出の説明演出が実行された後、大当たり予告演出として星が出現する演出が実行される点。段落【０２８３】、【０３９２】、図３５等を参照。）等にも記載されているように、本願出願前に周知の技術（以下、「周知技術１」という。）である。
　また、上記記載事項の（１−カ）に、「パチンコ機１００は、はずれとなる図柄変動表示に関連する説明および大当りとなる図柄変動表示に関連する説明演出のいずれも実行できるように構成されている場合・・・」と記載されていることからも明らかなように、引用発明は、その前提として、図柄変動表示がはずれと大当りの両方に関連して説明演出を実行する構成も考慮されており、はずれの場合だけに関連して説明演出を実行するものに限定されないから、説明演出の実施時期を説明対象となる演出の前後いずれにしても支障のないものである。
　そうすると、引用発明において、「前記特定保留表示態様となることで遊技者にとって有利な状態となることを説明する説明演出」の説明対象である「前記特定保留表示態様により保留画像を表示可能な遊技演出」の信頼度等を当該「遊技演出」の実行時に遊技者が認識できるように、上記の周知技術１に基づき当該「遊技演出」の前に当該「説明演出」を予め実施する、すなわち、当該「説明演出」を行った後に当該「遊技演出」により「前記特定保留表示態様により保留画像を表示可能」とするように構成して、相違点１及び２における本願補正発明の構成とすることは、当業者が容易に想到できたことである。
　相違点３及び４は関連するので、まとめて検討する。
　上記記載事項の（２−ア）〜（２−ウ）によれば、引用文献２の「通常始動入賞表示」、「特別始動入賞表示」は、それぞれ本願補正発明の「通常保留表示態様」、「特別保留表示態様」による表示に相当し、引用文献２の「始動記憶表示エリア１８における始動入賞記憶の表示」、「変動中始動記憶表示エリア１９における、特別図柄の可変表示が開始されて現在可変表示中の始動入賞記憶の表示」は、それぞれ本願補正発明の「保留画像」、「変動保留画像」に相当するものであるから、引用文献２には、図柄が変動していることを示す変動保留画像を表示可能であり、特定保留表示態様により保留画像を表示すると、前記保留画像に係る前記図柄の変動が開始されることに伴って前記特定保留表示態様を維持したまま前記変動保留画像として表示するとの技術的事項（以下、「技術的事項１」という。）が記載されているといえる。
　また、上記記載事項の（２−エ）〜（２−オ）によれば、引用文献２には、特別始動入賞表示が変動中始動記憶表示エリア１９に表示されているときに実行される特別演出パターンにおけるリーチ演出等に、図２８に示された態様のリーチ演出を利用できることが記載されている。そして、引用文献２の図２８には、リーチ時における特別図柄（中図柄）の変動状態を示す説明図において、変動中始動記憶表示エリア１９における現在可変表示中の始動入賞記憶の表示がなされていないものが開示されているから、引用文献２には、リーチ演出中に図２８に開示された態様のリーチ演出が表示されたとき、すなわち、画像表示手段に所定演出が表示されたときに変動保留画像を消去するとの技術的事項（以下、「技術的事項２」という。）が記載されているといえる。
　また、遊技機の技術分野において、遊技者の注目をリーチ演出に集めるために、リーチ演出中にリーチ演出を構成しない保留状況等の表示を消去することは、例えば特開２０１２−２１７５４６号公報（段落【０００６】、【００８８】、図１２等を参照。）や特開２０１２−１２０８９２号公報（段落【０１８７】、【０１９４】、図１４、１５等を参照。）等にも記載されているように、本願出願前に周知の技術（以下、「周知技術２」という。）である。
　そして、引用文献２の変動保留画像は、保留に関連する画像であるとともに、リーチ演出を構成しないものであることは、当業者にとって明らかである。
　そうすると、引用発明と引用文献２に記載されたものとは、保留画像を通常保留表示態様と特別保留表示態様とで表示可能な遊技機という点で共通するものであるから、引用発明に対して、引用文献２に記載された上記の技術的事項１及び２を適用することにより、若しくは、上記の技術的事項１を適用するとともに、上記周知技術２に基づいて、画像表示手段に所定演出であるリーチ演出が表示されたときに、保留画像とともに変動保留画像を消去するように設計変更することにより、相違点３及び４における本願補正発明の構成とすることは、当業者が容易に想到できたことである。
　そして、本願補正発明の作用効果も、引用発明、引用文献２に記載された技術的事項１及び２、並びに、周知技術１及び２から当業者が予測できる範囲のものであり、格別顕著なものとはいえない。
　なお、請求人は審判請求書において、「このように構成すると、保留画像が特定保留表示態様により表示された場合は、画像表示手段に所定演出が表示されるまで特定保留表示態様を維持したまま変動保留画像として表示し続けることが可能になるので、当該図柄の変動が特別遊技に当選している期待度が高いことを、遊技者に対して確実に報知することが可能になるという効果が期待できます。」（第４頁第１５〜１９行）と、本願補正発明の効果について主張している。
　しかしながら、請求人の主張する効果は、特定保留表示態様を維持したまま変動保留画像として表示することによるものであり、引用文献２にもそのような構成は記載されており当然に同様な効果が奏されるから、引用文献２の記載事項等から当業者が予測可能なものにすぎない。
　そうすると、請求人の上記主張は採用することができない。
　したがって、本願補正発明は、引用発明、引用文献２に記載された技術的事項１及び２、並びに、周知技術１及び２に基づいて当業者が容易に発明をすることができたものであるから、特許法第２９条第２項の規定により、特許出願の際に独立して特許を受けることができないものである。
４　まとめ
　以上のとおり、本願補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
第３　本願発明について
１　本願発明
　本件補正は、上記のとおり却下されることとなったので、本願の請求項１に係る発明（以下、「本願発明」という。）は、平成２６年８月２８日付け手続補正書により補正された特許請求の範囲の請求項１に記載された事項により特定されるとおりのものであり、「第２［理由］１　補正の内容」に本件補正前の請求項１として記載したとおりのものである。
２　引用文献及びその記載事項
　原査定の拒絶の理由に引用された引用文献１の記載事項及び引用発明の認定については、「第２［理由］３（１）（１−１）引用文献１」に記載したとおりである。
３　対比・判断
　本願発明は、上記「第２［理由］」で検討した本願補正発明から、「前記判定情報取得手段により取得された前記判定情報」を「前記特別遊技判定手段による判定の権利」と上位概念に拡張するとともに、「前記図柄が変動していることを示す変動保留画像を表示可能な変動保留表示手段」、「前記遊技演出実行手段は、前記遊技演出として、前記特定保留表示態様により保留画像を表示すると、前記保留画像に係る前記図柄の変動が開始されることに伴って前記特定保留表示態様を維持したまま前記変動保留画像として表示し、前記画像表示手段に所定演出が表示されたときに前記変動保留画像を消去する」との事項を省いたものである。
　本願発明と引用発明とを対比すると、上述のとおり、本願発明の「前記特別遊技判定手段による判定の権利」は、本願補正発明の「前記判定情報取得手段により取得された前記判定情報」から上位概念に拡張した発明特定事項であるから、引用発明の「特図１乱数値記憶領域」は、「第２［理由］３（２）エ」に記載したとおり本願補正発明の「
前記判定情報取得手段により取得された前記判定情報
前記特別遊技判定手段による判定の権利
　そして、本願発明のこれ以外の構成要件は、本願補正発明について検討した「第２［理由］３（２）対比」における相違点３及び４に対応する構成が存在しないことを除いて、本願補正発明と同じである。
　そうすると、本願発明と引用発明とは、同相違点１及び２と同等の相違点において相違するほかは、すべて一致している。
　そして、上記相違点における本願発明の構成は、「第２［理由］３（３）判断」に上記相違点１及び２に係る判断として記載したのと同じ理由により、引用発明及び周知技術１に基づいて当業者が容易に想到することができたものである。
　さらに、本願発明の作用効果も、引用発明及び周知技術１から当業者が予測できる範囲のものであり、格別顕著なものとはいえない。
　したがって、本願発明は、引用発明及び周知技術１に基づいて当業者が容易に発明をすることができたものである。
４　むすび
　以上のとおり、本願発明は、特許法第２９条第２項の規定により特許を受けることができないものであるから、本願は拒絶すべきものである。
　よって、結論のとおり審決する。